Podtech/llm-jp-corpus-v4-ja_patent huggingface dataset:
(57)【要約】      （修正有）【課題】横たわったベッドの中に組み込まれた石が、温熱効果により人体のツボを刺激したり、血流を良好にしたりすることによって、心身の病を和らげ、健康を守るために心身をリラックスさせ、症状を和らげるためのベッドをを提供する。【解決手段】温熱ベッド「夢ごこち」１は、４２℃〜４３℃で温めた石２をベッドに組み込み、寝た時に人体５の部分（頭部、首、肩、背中、腰、尻、ひざ裏足等）に当てることにより、人体機能を活発にして心身の病を和らげる。温熱ベッド「夢ごこち」は日常的に住宅、職場、病院、公共施設等いろいろな用途の社会環境の中で使用できる。温冷進化の癒しの椅４２℃〜４３℃まで温める手段は、温水（温泉等）による場合、火力による場合、電気ヒータによる場合が考えられる。組み込む石はいたるところに転がっている石を使用できる。【選択図】図２
2014087576.tif 000002
【特許請求の範囲】
【請求項１】
石（鉄鉱石等）、または弱電熱等によって温度を４２℃〜４３℃で人体の部分（肩、背中、腰、尻、ひざ、足等）を温め、心身をリラックスさせることにより健康を維持増進する温熱ベッド「夢ごこち」である。
【請求項２】
請求項１記載の椅子において、ベッド内に組み込まれた石を４２℃〜４３℃に温めて、人体の部分に間接的に当てることに特徴がある。
【請求項３】
請求項１記載の椅子において、組み込まれる石を温める熱源は、温水、火力、電気ヒータである。
【請求項４】
請求項１記載のベッドは、日常生活で使用しながら健康を維持増進するところに特徴がある。
【請求項５】
請求項１記載のベッドにおいて、健康を維持増進する効果は、血流が良好になる。
【請求項６】
請求項１記載のベッドにおいて、健康を維持増進する効果は、ツボを刺激する。
【請求項７】
請求項１記載のベッドにおいて、健康を維持増進する効果は、リンパ腺の活性化を促す。
【請求項８】
請求項１記載のベッドにおいて、腰の部分角度を変えることができる。
【請求項９】
請求項１記載のベッドにおいて、健康を維持増進する効果は肩こり、腰痛、ひざの傷み、痔、足のしびれ傷みを和らげ、疲労回復を促進する。
【発明の詳細な説明】
【技術分野】
【０００１】本発明は人体の病的症状を改善するためのベッドである。【０００２】石を４２℃〜４３℃に温水、火力、電気ヒータで温めて、石をベッドに組み込む装置である。
【背景技術】
【０００３】地球規模の環境変化、住環境、職場環境、学校環境等々の環境の影響で、人体に起こるストレスや病気を簡単に改善できる家具が必要である。【０００４】日常的に使用できる。【０００５】電気毛布等は従来あったが、本発明の人体の部分を効果的に温める４２℃〜４３℃の石を組み込んだベッドは従来なかった。
【先行技術文献】
【特許文献】
【発明の概要】
【発明が解決しようとする課題】
【０００６】環境の変化による人体の適応力が低下いている今日、いろいろな現代の病（肩こり、ひざ痛、痔、足のしびれ等）が発生している。温熱ベッド「夢ごこち」がその病を和らげる。
横たわったベッドの中に組み込まれた石が、温熱効果により人体のツボを刺激したり、血流を良好にしたりすることによって、心身の病を和らげ、本発明では健康を守るために心身をリラックスさせることが課題である。【０００７】複雑な構造や特殊な材料を使用したベッドでなく、どこにでもある石をベッドに組み込む構造で、世界中に存在する現代の病に悩む人のために提供するのが目的である
【課題を解決するための手段】
【０００８】上記の目的を達成するため、本発明の温熱ベッド「夢ごこち」、４２℃〜４３℃で温めた石をベッドに組み込み、横たわった時に人体の部分（頭部、首、肩、腰、尻、ひざ裏足等）に間接的に当てることにより、人体機能を活発にして心身の病を和らげる。【０００９】上記の目的を達成するため、日常的に本発明の温熱ベッド「夢ごこち」を使用することができる。【００１０】上記の目的を達成するため、本発明の温熱ベッド「夢ごこち」は人体の大きさや動きに合わせ寸法を可変できる。【００１１】上記の目的を達成するため、本発明の温熱ベッド「夢ごこち」は腰の部分で角度を可変できる。【００１２】上記の目的を達成するため、本発明の温熱ベッド「夢ごこち」は、住宅、職場、病院、公共施設等いろいろな用途の社会環境の中で使用できる。【００１３】上記の目的を達成するため、本発明の温熱ベッド「夢ごこち」に組み込まれた石はいたるところに転がっている石を使用できる。【００１４】上記の目的を達成するため、本発明の温熱ベッド「夢ごこち」に組み込まれた石を４２℃〜４３℃まで温める手段は、温水（温泉等）による場合、火力による場合、電気ヒータによる場合が考えられる。
【発明の効果】
【００１５】本発明の温熱ベッド「夢ごこち」を使用することによって、肩こり、腰痛、ひざ関節の傷み、痔、足のしびれや痛みを和らげ、心身が癒され健康増進につながる。
【図面の簡単な説明】
【００１６】
【図１】本発明の温熱ベッド「夢ごこち」の平面図である。
【図２】本発明の温熱ベッド「夢ごこち」の断面図である。
【発明を実施するための形態】
【００１７】温熱ベッド「夢ごこち」は図１から図２に示す通り、ベッドの構造本体１と石２を組みいれる構造部分から構成されている。
【００１８】図１から図２で示す温熱ベッド「夢ごこち」は人体の大きさに合わせて石２の間接的に接する部分を変化させ提供する。
【００１９】石２はあらかじめ、温水（温泉等）、電気ヒータ３、火力などによって４２℃〜４３℃に温めて、それらの温度を確保しつつ寝る。電気ヒータ４を使用するときはタイマーをセットできる。
【００２０】温熱ベッド「夢ごこち」を使用すると、人体５各部に温められた石の熱が伝わり、心身の健康増進効果を発揮する。
１  温熱ベッド「夢ここち」の本体
２  温熱ベッド「夢ここち」に組み込まれた石
３  温熱ベッド「夢ここち」に組み込まれた空気を通すメッシュ蓋
４  温熱ベッド「夢ここち」に組み込まれた電気ヒータ
５  人体
【図１】
2014087576.tif 000003
【図２】
2014087576.tif 000004
(57)【要約】【課題】自分自身で人の手を借りることなく頭皮を力強く挟み揉みができるマッサージ具の提供。【解決手段】頭皮を掴むようにして揉みほぐすため、中央が屈曲する板状の本体左右に２本の指状の凸起がついた作用部を固着し屈曲部を支点に梃子により指状の凸起で挟んで揉みほぐすマッサージ具である。梃子により揉むことから力強く揉むことができ、作用部が可動することから作用部間の幅を変えながら使用することで規則正しく頭皮全体を満遍なくマッサージできる。【選択図】図１
2014087574.tif 000002
【特許請求の範囲】
【請求項１】
中央が屈曲する板状の本体左右に１本から複数の指状の凸起がついた作用部を固着し屈曲部を支点に梃子により指状の凸起で挟んで揉みほぐすマッサージ具であって、作用部は可動し挟む幅を自由に変えることができる構造。
【発明の詳細な説明】
【技術分野】
【０００１】  本発明は、薄毛・脱毛の予防、育毛・発毛を促進するための頭皮マッサージに関する。
【背景技術】
【０００２】  従来の頭皮マッサージ具はローラーに突起をつけて頭皮を刺激する（例えば、特許文献１参照）。頭部にバンドを巻きつけ空気圧で頭皮を刺激する（例えば、特許文献２参照）。ヘアーブラシ３個を横に結合し、左右のブラシを頭皮に押し当てて固定し、中央のブラシを縦横に動かし頭皮を刺激する（例えば、特許文献３参照）。また、多数の突起体を設けたマッサージ体２つを組み合わせ、それぞれのマッサージ体を頭皮に押圧し挟むように横運動を加え頭皮を刺激する（例えば、特許文献４参照）などのものがある。
【先行技術文献】
【特許文献】
【０００３】
【特許文献１】特開２００９−１３６４６３号広報
【特許文献２】特開２００２−０７８７６２号広報
【特許文献３】特開平１０−１９２３５２号広報
【特許文献４】特開２００１−２７６１５６号広報
【発明の概要】
【発明が解決しようとする課題】
【０００４】  男性の薄毛や脱毛の多くは頭頂部にある帽状腱膜の部分である。この部分の頭皮が張って硬くなると血流や毛根に影響を与える。この張って硬くなった頭皮は押圧による上下運動に比べ横方向へは多少動くことから、人によりマッサージをする場合は手指により掴むように横方向への力を繰返し加えることで、より弾力性を回復する効果が期待できる。しかし、自身で行うには体勢的に力強さに欠け、十分なマッサージを行うには疲労感から難しい。従来の頭皮マッサージ具はローラーや帯状のものを巻きつけ押圧するもの、頭皮ブラシで押圧するものが多く開示されている。横方向へのマッサージを考案した頭皮ブラシや複数の突起により押圧して横方向にマッサージするものはあるが上述の様に頭皮を力強く掴むようにマッサージするものではなかった。
【課題を解決するための手段】
【０００５】  本発明は上記課題を解決する自身で行うマッサージ具である。中央が屈曲する本体図２の左右に指状の凸起を接着した作用部図２、図３を固着し屈曲部１を支点に梃子により指状の凸起２で頭皮を挟んで力強く揉むことができる。本体との接続部は可動し使用時は固着する構造で、小さく挟むときは左右の作用部の間隔を図５のように狭く、大きく挟むときは図６のように広くして使用する。作用部の指状の凸起は２本であるが１本から複数本のものに変えることはできる。
【発明の効果】
【０００６】  頭皮のマッサージの目的は薄毛・脱毛の予防、育毛・発毛の促進である。一般的にマッサージに期待される効果は血行の促進、疲労回復、心地よさなどであり、別人から受ける場合は時として痛みを伴うことがある。この痛みの感じ方は千差万別であり、この痛みと心地よさは頭皮の状態、使用日数などで変化するが自身で行うことで力強さは変えることなく力加減で心地よさと効果的な強さを加減することができる。有効なマッサージ効果を得るためには満遍なく日々習慣づけて使用することが求められるが本発明は構造がシンプルで簡単に使用でき、発明を実施するための形態に記載してあるが頭頂部から側頭部へと作用部の幅を変えながら規則正しく実施することで重複、揉み残しなどがなくなり使用時間が定まり習慣になりやすい。
【図面の簡単な説明】
【０００７】
【図１】マッサージ具全体の斜視図
【図２】図１のマッサージ具の本体底面図
【図３】図１のマッサージ具の作用部底面図
【図４】図１のマッサージ具の作用部側面図
【図５】作用部を狭めた実施例を示す説明図
【図６】作用部を広めた実施例を示す説明図
【発明を実施するための形態】
【０００８】  実施例は図５、図６に示してあるが、本体屈曲部１を中央に両手で左右の本体を握り左右の指状の凸起２の先端（弾力があり滑り止め効果のある部材を使用）を頭皮に密着させ本体を折り曲げて頭皮を挟むようにマッサージする。この作業を頭頂部から側頭部へと行っていくが、左右の作用部の間隔を作用部取り付け金具４と固定金具５を使い図５のように狭めて後頭部から前頭部へ、またその逆もあるが反復する。順次、作用部の間隔を広めながら反復を繰り返しマッサージする。
【符号の説明】
【０００９】１  本体屈曲部
２  指状凸起
３  作用部取り付け穴兼取り付け金具移動スペース
４  作用部取り付け金具
５  作用部固定金具
【図１】
2014087574.tif 000003
【図２】
2014087574.tif 000004
【図３】
2014087574.tif 000005
【図４】
2014087574.tif 000006
【図５】
2014087574.tif 000007
【図６】
2014087574.tif 000008
(57)【要約】      （修正有）【課題】４２℃〜４５℃で温めた石を椅子に組み込み、座った時に人体の部分（頭部、首、肩、腰、尻、ひざ裏足等）に当てることにより、人体機能を活発にして心身の病を和らげる癒しの椅子を提供する。【解決手段】４２℃〜４５℃で温めた石を椅子に組み込み、座った時に人体の部分（頭部、首、肩、腰、尻、ひざ裏足等）に当てることにより、人体機能を活発にして心身の病を和らげる。本発明の温冷進化の癒しの椅子「夢」は日常的に住宅、職場、劇場、観覧場、病院、公共施設等いろいろな用途の社会環境の中で使用できる。温冷進化の癒しの椅子を４２℃〜４５℃まで温める手段は、温水（温泉等）による場合、火力による場合、電気ヒータによる場合が考えられる。組み込む石はいたるところに転がっている石を使用できる。【選択図】図１
2014087575.tif 000002
【特許請求の範囲】
【請求項１】
石（鉄鉱石等）、または弱電熱等によって温度を４２℃〜４５℃で人体の部分（腰、尻、足等）を温め、心身をリラックスさせることにより健康を維持増進する椅子。
【請求項２】
請求項１記載の椅子において、椅子内に組み込まれた石を４２℃〜４５℃に温めて、人体に当てることに特徴がある。
【請求項３】
請求項１記載の椅子において、組み込まれる石を温める熱源は、温水、火力、電気ヒータである。
【請求項４】
請求項１記載の椅子は、日常生活で使用しながら健康を維持増進するところに特徴がある。
【請求項５】
請求項１記載の椅子において、健康を維持増進する効果は、血流が良好になる。
【請求項６】
請求項１記載の椅子において、健康を維持増進する効果は、ツボを刺激する。
【請求項７】
請求項１記載の椅子において、健康を維持増進する効果は、リンパ腺の活性化を促す。
【請求項８】
請求項１記載の椅子において、背もたれは角度を変えることができる。
【発明の詳細な説明】
【技術分野】
【０００１】本発明は人体の病的症状を改善するための椅子である。【０００２】石を４２℃〜４５℃に温水、火力、電気ヒータで温めて、石を椅子に組み込む装置である。
【背景技術】
【０００３】地球規模の環境変化、住環境、職場環境、学校環境等々の環境の影響で、人体に起こるストレスや病気を簡単に改善できる日常的な家具が必要である。【０００４】日常的に使用できる。【０００５】指圧やあんまなどによる椅子は従来あったが、本発明の４２℃〜４５℃の石を組み込んだ椅子は従来なかった。
【先行技術文献】
【特許文献】
【発明の概要】
【発明が解決しようとする課題】
【０００６】環境の変化による人体の適応力が低下いている今日、いろいろな現代の病が発生している温冷進化の癒しの椅子「夢」がその病を和らげる。
座った椅子の中に組み込まれた石が、温熱効果により人体のツボを刺激したり、血流を良好にしたりすることによって、心身の病を和らげ、本発明では健康を守るために心身をリラックスさせることが課題である。【０００７】複雑な構造や特殊な材料を使用した椅子でなく、どこにでもある石を椅子に組み込む構造で、世界中に存在する現代の病に悩む人のために提供するのが目的である
【課題を解決するための手段】
【０００８】上記の目的を達成するため、本発明の温冷進化の癒しの椅子「夢」は、４２℃〜４５℃で温めた石を椅子に組み込み、座った時に人体の部分（頭部、首、肩、腰、尻、ひざ裏足等）に当てることにより、人体機能を活発にして心身の病を和らげる。【０００９】上記の目的を達成するため、日常的に本発明の温冷進化の癒しの椅子「夢」を使用する。【００１０】上記の目的を達成するため、本発明の温冷進化の癒しの椅子「夢」は人体の大きさや動きに合わせ寸法を可変できる。【００１１】上記の目的を達成するため、本発明の温冷進化の癒しの椅子「夢」は背もたれが移動する。【００１２】上記の目的を達成するため、本発明の温冷進化の癒しの椅子「夢」は、住宅、職場、劇場、観覧場、病院、公共施設等いろいろな用途の社会環境の中で使用できる。【００１３】上記の目的を達成するため、本発明の温冷進化の癒しの椅子「夢」の組み込まれた石はいたるところに転がっている石を使用できる。【００１４】上記の目的を達成するため、本発明の温冷進化の癒しの椅子「夢」の組み込まれた石を４２℃〜４５℃まで温める手段は、温水（温泉等）による場合、火力による場合、電気ヒータによる場合が考えられる。
【発明の効果】
【００１５】本発明の温冷進化の癒しの椅子「夢」を使用することによって健康増進につながる。
【図面の簡単な説明】
【００１６】
【図１】本発明の温冷進化の癒しの椅子「夢」の側面図である。
【図２】本発明の温冷進化の癒しの椅子「夢」の平面図である。
【図３】本発明の温冷進化の癒しの椅子「夢」正面図である。
【発明を実施するための形態】
【００１７】温冷進化の癒しの椅子「夢」は図１から図３に示す通り、椅子の構造本体１と石２を組み込む構造部分から構成されている。
【００１８】図１から図３で示す温冷進化の癒しの椅子「夢」は人体の大きさに合わせて石２の接する部分を変化させ提供する。
【００１９】石２はあらかじめ、温水（温泉等）、電気ヒータ３、火力などによって４２℃〜４５℃に温めて、それらの温度を確保しつつ椅子に座る。
【００２０】数分から数十分椅子に座ると人体４各部に温められた石の熱が人体４の各部に伝わり、心身の健康増進効果を発揮する。
１  温冷進化の癒しの椅子「夢」の椅子本体
２  温冷進化の癒しの椅子「夢」に組み込まれた石
３  温冷進化の癒しの椅子「夢」に組み込まれた石を温める電気ヒータ
４  人体
【図１】
2014087575.tif 000003
【図２】
2014087575.tif 000004
【図３】
2014087575.tif 000005
(57)【要約】      （修正有）【課題】健康が、塩分過剰、化学物質含有料理で損なわれない調理技術を提供する。【解決手段】海水ミネラルの全てを用いることにより、全海水ミネラルとアミノ酸との反応で旨み成分を調理過程で作り出していくことで、塩、砂糖、調味料、醤油、添加剤等を一切使うことなく減塩で化学物質が無い料理を作る。【選択図】なし【特許請求の範囲】
【請求項１】
汚染物質が除去され、全ての海水ミネラルが残存し、海水と同じ組成を有し、海水と同じミネラルバランスを有する無菌水によって行う調理技術
【発明の詳細な説明】
【技術分野】
【０００１】塩、砂糖、調味料、醤油、添加剤等を一切不要とする調理技術
【背景技術】
【０００２】美味しい味を、調理中に生じる全海水ミネラルとアミノ酸との化学反応による旨み成分によって作り出す調理技術
【発明が解決しようとする課題】
【０００３】健康が、塩分過剰や化学物質含有料理で損なわれている。
【課題を解決するための手段】
【０００４】塩、砂糖、調味料、醤油、添加剤等を一切使うことなく、海水ミネラルの全てを用いることで、全海水ミネラルとアミノ酸との反応で旨み成分を調理過程で作り出していく。
【発明の効果】
【０００５】減塩、化学成分ゼロの料理が、簡単に、短時間で、誰にでも出来る。
【０００６】減塩等の食事制限を余儀なくされている病人に、一般食と同じ美味しさを有する治療効果を有した食事を提供する。
【０００７】塩分過剰、化学物質摂取障害による疾患発症防止による保険料支出削減
【産業上の利用可能性】
【０００８】美味しく、健康増進を図る給食、社員食堂、病人食の普及
(57)【要約】【課題】中間鏡筒が、主鏡の明るさを暗くするものであった為、これを明るくなるように工夫するものである。【解決手段】中間鏡筒（１）の内側に凸型の光学系（２）を組み込み解決するものである。【選択図】図１
2014228858.tif 000002
【特許請求の範囲】
【請求項１】
主鏡をより明るくするため中間鏡筒に凸型の光学系を内蔵した明明鏡。
【発明の詳細な説明】
【技術分野】
【０００１】この発明は明明鏡に関するものである。
【背景技術】
【０００２】従来、中間鏡筒は凹型のレンズが付くものや空間であった。
【先行技術文献】
【０００３】
【特許文献１】
【非特許文献１】
【発明の概要】
【発明が解決しようとする課題】
【０００４】    カメラレンズにおいて、従来からの中間鏡筒は主鏡の明るさを暗くする作用が起きていた。凹型の光学系を組み込んでも同様であった。
本発明は、以上のような欠点をなくすためにされたものである。
【課題を解決するための手段】
【０００５】  凸型の光学系を組み込む事で、焦点距離を短くし自動的に明るくした。
本発明は、以上の構成よりなる明明鏡である。
【発明の効果】
【０００６】主鏡の明るさを、増やすことができた、加えて主鏡の焦点距離を広角にできた。
【図面の簡単な説明】
【０００７】
【図１】本発明の断面図である。
【図２】本発明の側面図である。
【発明を実施するための形態】
【０００８】以下、本発明を実施するための形態について説明する。
中間鏡筒（１）の内側に、凸型の光学系（２）を組み込む。それを主鏡（３）とカメラ（４）との間につなぐ。
本発明は、以上のようなこうぞうである。
これを使用するときは、イメージ・サークルが狭まるので画像のサイズの小さいカメラを用い、また焦点距離をが短くなるのでカメラのフランジバックは短いもの使う。中間鏡筒の凸型レンズの焦点距離が、１００ｍｍで明るさはおよそ０．８倍になり６０ｍｍでは０．５倍に明るくなる。これは主鏡が３５ｍｍフルサイズ・タイプで中間鏡筒はマウント・アダプターを使いＥ−マウント・カメラで撮影した場合である。
【符号の説明】
【０００９】１中間鏡筒
２凸型光学系
３主鏡
４カメラ
【図１】
2014228858.tif 000003
【図２】
2014228858.tif 000004
(57)【要約】      （修正有）【課題】通行人に多く受け取ってもらえる選挙等用チラシを提供する。【解決手段】公職選挙法の規定に則り、Ａ４サイズ以内とし、候補者の顔等の輪郭線に沿って不要部を切り取って立体的にし、シートの厚みや質を通行人でも受け取り易いようにする。【選択図】なし【特許請求の範囲】
【請求項１】
公職選挙法規定に則り外形がＡ４サイズをはみ出さないようにし、一部を切り込み写真などを立体的に見せ、且つ通行人でも移動中に取り易い厚みや質とした選挙等用チラシ。
【発明の詳細な説明】
【技術分野】
【０００１】
本発明は効果大なるチラシに係り、選挙チラシの場合は候補者の顔のシルエットを形成するようにしたシルエットチラシに関する。
【背景技術】
【０００２】
従来の選挙チラシはＡ４の四角の薄い紙に、顔写真やスローガンが記載されたものが配布される。
【先行技術文献】
【特許文献】
【０００３】
【特許文献１】実用新案登録第３１１６９２９号
【発明の概要】
【発明が解決しようとする課題】
【０００４】
従来の選挙規定チラシは、Ａ４の大きさの外形の四角い薄い紙に印刷されたものであり、このようなチラシではインパクトは出ず、道を通る人も受け取らず、廃棄することが多い。
本発明はこのような課題に鑑みてなされたものであって、公職選挙法にのっとっている条件付きで一般大衆に候補者を強くアピールすることができる選挙等用チラシを提供することを目的としている。
【課題を解決するための手段】
【０００５】
Ａ４の四角いチラシのサイズ内において外形を変化させ、且つ紙厚を受け取りやすい厚さにし、前記候補者の顔の輪郭を切り取って凸凹状にすることにより立体的に見せ、興味を持たせることを特徴とするチラシである。
【発明の効果】
【０００６】
候補者のシルエット部分を切り取ることにより、候補者の顔を立体的に見せることができ、候補者を強くアピールすることができる。紙質を厚めにするので受け取りやすい。机の前等に立てかけられており、通行人に渡す時に垂れ下がらないようにするので、受け取りやすい。また、紙厚（例えばｐｗ菊１８．５ｋｇ）や紙質を通行人に渡す時に垂れ下がらない。
【図面の簡単な説明】
【０００７】
【図１】本発明の一実施例を示す表面図
【図２】同上の裏面を示す図
【図３】従来のチラシ配布の様子を示す図
【図４】本発明のチラシ配布の様子を示す図
【図５】従来のチラシを壁に立て掛ける様子を示す図
【図６】本発明のチラシを壁に立て掛ける様子を示す図
【発明を実施するための形態】
【０００８】
以下、図面を参照して本発明の実施例を詳しく説明する。図１は本発明の一実施例の表面図である。大きさはＡ４サイズ以内とし、候補者の顔写真の輪郭（シルエット）に沿ってカットする。このように構成されたチラシの動作を説明すれば、以下の通りである。
【０００９】
本発明者は１３００００人の通行人を使って実験し、普通のコピー紙より厚手でＡ４の四角のチラシを渡すより、本発明の如くＡ４の２辺３，４を直線とし、対向する他の２辺がＡ４より凹んだ形状２とする本発明チラシの方がチラシを受け取る率が多く、シルエットを切ることにより、シルエットが浮き上がり、３次元の立体のように見えるので、候補者の顔が立体的に見えて、目と目が合い、目がついてくるので、候補者の顔と氏名とを強烈にアピールすることができ、名前と顔とを記憶してもらうことができる。紙厚をコピー紙より厚くすることで、（例えばｐｗ菊１８．５ｋｇ）、持ち帰って机等に立てかけることができるので長く記憶される。
【００１０】
図２はチラシの裏面を示している。図に示すように、裏面には候補者の主義主張や経歴等を豊富に自由に記載するスペースが十分取れるようになっており、またコーナー５に印紙を貼り付けやすいスペースを設けられるようになっている。
【００１１】
図３は公知のチラシの場合で、チラシを渡す人６が公知のチラシ７を通行人８に渡そうとしても、チラシが垂れて受け取れないので、チラシ効果が無効となる。本発明では、チラシが垂れ下がらないので、歩いている人でも確実に手の中に入れて持ち帰ることができる。
【００１２】
図４は本発明チラシを渡す実施例を示し、本発明チラシ９がピンとしているので、通行人８は歩きながらも受け取りやすく、また形状が立体的に見えるので、通行人の視覚に興味を引き、通行人８は受け取る行動に出るのでチラシ効果がでる。
【００１３】
本発明チラシを受け取った人は自宅の机等１０にこの本発明チラシを図６の本発明実施例の如く立てかけて顔等を見ることができるので、チラシ効果が長期にわたり持続する。公知のチラシは薄い紙厚なので、図５の如く自宅やオフィスの机や壁等１０に立てかけることができないので、棄ててしまう。
【産業上の利用可能性】
【００１４】
公職選挙法選挙規定のＡ４サイズギリギリで四角形よりも多く通行人が手に取るチラシを得ることができる。本発明は、選挙チラシに限るものではなく、その他のチラシにも同様に適用することができ、紙以外の材質、例えばエポなどのプラスチックでも本発明の範囲に含まれる。
【符号の説明】
【００１５】
１  Ａ４サイズ外形
２  切り込んだ部分
３  チラシの水平直線部
４  チラシの垂直直線部
５  選挙チラシ枚数許可印紙貼り付け部
６  公知のチラシを手渡す人
７  公知の垂れ下がり渡し難いチラシ
８  通行人
９  本発明チラシ
１０  チラシを受け取った人の机や壁など
１１  通行人の本発明チラシを見る目
【図１】
2014228814.tif 000002
【図２】
2014228814.tif 000003
【図３】
2014228814.tif 000004
【図４】
2014228814.tif 000005
【図５】
2014228814.tif 000006
【図６】
2014228814.tif 000007
(57)【要約】      （修正有）【課題】食材の内部まで均一に焼く，蒸す，煮る，炊く，炒める等の調理が容易な調理器を提供する。【解決手段】調理庫１１内に向けて過熱蒸気を供給する過熱蒸気発生手段２０と、調理庫内１１に過熱ヒーター１２，１３を備えた。【選択図】図１
2014228202.tif 000002
【特許請求の範囲】
【請求項１】
調理庫内に向けて過熱蒸気を供給する過熱蒸気発生手段と、調理庫内に過熱ヒーターを備えたことを特徴とする調理器。
【請求項２】
調理庫内に向けて水を噴霧する水噴霧手段を有することを特徴とする請求項１記載の調理器。
【請求項３】
過熱蒸気を得るための供給水に水素水を用いることを特徴とする請求項１又は２記載の調理器。
【発明の詳細な説明】
【技術分野】
【０００１】
本発明は、過熱蒸気を用いた調理器に関し、特に従来のスチームコンベクションオーブンでは対応できなかった食材の調理も可能な新規調理器に係る。
【背景技術】
【０００２】
食材を主に温める目的として電子レンジが一般に使用され、食材を主に焼いたり、ローストする目的としてオーブンが使用されてきた。
近年、焼く，焙る，蒸す，煮る，炊く，炒める等の多機能の調理器としてスチームコンベクションオーブンが提案されている。
例えば、特許文献１には加熱庫に加熱蒸気を供給するとともに、この加熱庫の底部にターンテーブルを設けることで調理物に均一に熱風が当たるようにしたスチームコンベクションオーブンを開示する。
しかし、この種のスチームコンベクションは使用条件を調整するのが難しく、スチームが強いと水っぽい調理になったり、熱風が強いと焼きムラや加熱ムラが発生しやすかった。
特に従来のスチームコンベクションオーブンでは、煮魚や煮物等の調理が難しかった。
【先行技術文献】
【特許文献】
【０００３】
【特許文献１】特開平９−１１９６４２号公報
【発明の概要】
【発明が解決しようとする課題】
【０００４】
本発明は、食材の内部まで均一に焼く，蒸す，煮る，炊く，炒める等の調理が容易な調理器の提供を目的とする。
【課題を解決するための手段】
【０００５】
本発明に係る調理器は、調理庫内に向けて過熱蒸気を供給する過熱蒸気発生手段と、調理庫内に過熱ヒーターを備えたことを特徴とする。
ここで、調理庫内に向けて水を噴霧する水噴霧手段を有するのが好ましい。
さらには、過熱蒸気を得るための供給水に水素水を用いるのが好ましい。
【０００６】
本発明に用いる過熱蒸気は、３００℃以上に過熱された蒸気を用いるのがよく、好ましくは４００〜５５０℃に過熱された蒸気がよい。
過熱蒸気は、一般に水を加熱沸騰させることで発生した水蒸気をさらに過熱することで得られる。
このようにして得られた過熱蒸気は、乾燥したドライスチームであり、ある程度の活性水素が発生するものの、焼き芋やピザ等を調理するには不充分な場合もある。
これらの食材を内部まで均一に焼いたり、豆類を焙るにはさらに活性水素が多く、還元雰囲気であるのが好ましい。
そこで、本発明においては過熱蒸気を発生させる原水として水素水を用いるのが好ましい。
水素水は、電気分解によるもの，還元セラミックスによるもの，高周波を印加するもの等、公知の方法で得ることができる。
水素水の水素濃度は０．５ｐｐｍ以上が好ましく、水素の水への飽和濃度は約１．６ｐｐｍと言われている。
酸化還元電位としては、−２００ｍＶ〜−６５０ｍＶの範囲がよい。
【０００７】
また、調理庫内に過熱蒸気を噴霧又は吐出しただけでは、調理庫内の食材等に触れた際に温度が低下してしまう場合も多い。
そこで、本発明は調理庫内に過熱ヒーターを配設した点に特徴がある。
これにより、過熱蒸気が調理庫内で再加熱され、食材への浸透性が向上し、従来のスチームコンベクションオーブンではターンテーブルが必要であったのに対して、本発明ではターンテーブルが不要である。
【０００８】
ピザ，焼き芋，肉炒め，野菜炒め，焼き魚，コーヒー豆等の豆類を焙るには、このように水素水を用いた過熱蒸気にて風味があり、内部まで均一に調理された料理が得られる。
しかし、煮魚，各種野菜煮物，各種肉煮物等の水の多い調理をする場合には、過熱蒸気だけでは不充分となる。
このような場合には、調理庫内に水を少しずつ、例えばキリ状に噴霧する水噴霧管を設けるとよい。
【発明の効果】
【０００９】
本発明に係る調理器は、調理庫内に過熱蒸気の供給手段と過熱ヒーターを配設し、さらに必要に応じて過熱蒸気の原水に水素水を用いたり、調理庫に水を噴霧する水噴霧管を設けることにより、焼き物料理や煮物料理等に対しても内部まで均一に熱がとおり、風味に優れた料理ができる。
【図面の簡単な説明】
【００１０】
【図１】（ａ）は調理の内部断面構造を示し、（ｂ）は調理庫の底部側の平面図を示す。
【図２】（ａ）は調理器の外観側面図、（ｂ）は調理器を３段にしてラックに収納した状態を示す。
【発明を実施するための形態】
【００１１】
本発明に係る調理器１０の構造例を以下図面に基づいて説明するが、本発明はこれに限定されない。
図１に調理器１０の構造を模式的に示す。
内部が略長方体からなる調理庫１１の下部に網目状，格子状あるいはスリット状の食材載置部１４を形成し、この食材載置部１４の下側に図１（ｂ）に示すように過熱蒸気供給管２３，及び過熱ヒーター１３を配設してある。
また、過熱ヒーター１２は調理庫１１の上部にも設けてある。
過熱蒸気供給管は過熱蒸気発生器２０に配管接続され、供給口２３ａのノズル孔から３００〜５５０℃の過熱蒸気が吐出する。
吐出した過熱蒸気は下側の過熱ヒーター１３にて再過熱され、活性度が高い。
過熱蒸気発生器２０は水供給部２１と水を沸騰させ、さらに過熱するヒーター２２を有する。
過熱蒸気の発生構造は沸騰水をヒーターで３００〜５５０℃に過熱するものであり、公知の方法を用いることができる。
調理器１０の調理庫１１の上部と底部には水噴霧管３０が配設され、ノズル３１からの噴霧を図示を省略した制御部にて制御されている。
図２（ａ）に調理器１０の外観例を示し、本体１０ａの正面に扉１０ｂを有し、調理庫１１に食材の出し入れを行う。
本発明に係る調理器１０は蒸気を使用するものの、排気はダクト等の簡単な構造でよいために図２（ｂ）に示すように複数の調理器１０をラック１に収納させて使用することもできる。
本発明に係る調理器を用いて、過熱蒸気約５００℃、調理庫内を過熱ヒーターで３５０〜４００℃に維持し、ピザを焼いた。
風味のある美味しいピザができた。
同様にして、サツマイモを焼いたところ、内部まで、蒸気が浸透し、ふっくらと焼き上がった。
次に、トレイに、魚の切り身及び調味料、だし等を加え、調理庫内に水を噴霧しながら、調理をしたところ、美味しい煮魚が得られた。
【符号の説明】
【００１２】
１０        調理器
１１        調理庫
１２        過熱ヒーター
１３        過熱ヒーター
２０        過熱蒸気発生器
２１        水供給部
２２        ヒーター
２３        過熱蒸気供給管
２３ａ      供給口
３０        水噴霧管
【図１】
2014228202.tif 000003
【図２】
2014228202.tif 000004
(57)【要約】【課題】除酸材を不要とした可燃性ガス検出器用硫化水素除去フィルタ材を提供すること。【解決手段】粒状体の基材に乳酸銀を担持させて構成されている。【選択図】なし【特許請求の範囲】
【請求項１】
粒状体の基材に乳酸銀を担持させて構成された可燃性ガス検出器用硫化水素除去フィルタ材。
【請求項２】
前記粒状体がアルミナ粒子である請求項１に記載の可燃性ガス検出器用硫化水素除去フィルタ材。
【請求項３】
前記粒状体がシリカ粒子である請求項１に記載の可燃性ガス検出器用硫化水素除去フィルタ材。
【発明の詳細な説明】
【技術分野】
【０００１】
本発明は、メタン、イソブタン、メチルエチルケトン、トルエン等の可燃性ガス検出器のガス流入口に配置して硫化水素を除去するのに適したフィルタに関する。
【背景技術】
【０００２】
メタン、イソブタン、メチルエチルケトン、トルエン等の可燃性ガスの検出には半導体ガスセンサが利用されているが、このセンサは被検出流体（エア）に硫化水素が含まれていると検出出力値が低下するという問題がある。
このような硫化水素による影響を防止するために特許文献１のようなフィルタをガス検出器のガス流入口に配置することが提案されている。
【０００３】
このフィルタは、ガス流入口側に硝酸銀を担持させたシリカ粒子を、また下流側に酸化マグネシウムを担持させたし７リカ粒子を筒状容器に充填して構成されている。
【先行技術文献】
【特許文献】
【０００４】
【特許文献１】特開２００９-１２２００１号公報
【発明の概要】
【発明が解決しようとする課題】
【０００５】
しかしながら、硝酸銀と硫化水素との反応により酸性ガス、つまり硝酸ガスが発生するため、下流側に被検出ガスに無反応、非吸着の除酸剤（酸化マグネシウム）が必要になるという問題がある。
本発明は、このような問題に鑑みてなされたものであって、その目的とするところは除酸剤が不要な可燃性ガス検出器用硫化水素除去フィルタを提供することである。
【課題を解決するための手段】
【０００６】
このような課題を達成するために本発明の可燃性ガス検出器用硫化水素除去フィルタは粒状体の基材に乳酸銀を担持させて構成されている。
【発明の効果】
【０００７】
乳酸銀は、硫化水素と酸性ガスを生じることなく反応して硫化水素が検出器に流れ込むのを防止する。
【図面の簡単な説明】
【０００８】
【図１】本発明のフィルタ材の一実施例を示す模式図である。
【図２】本発明のフィルタ材の破過特性を示す線図である。
【図３】本発明のフィルタ材を使用した場合と不使用の場合との検出結果を示す線図である。
【発明を実施するための形態】
【０００９】
そこで以下に本発明の詳細を実施例に基づいて説明する。
フィルタを構成する吸収剤１は、被験ガスである可燃性ガスに非活性な材料からなり、積層状態でも通気性を確保できる程度粒径の基材、たとえば粒径0.5ｍｍのアルミナ粒子を担体として乳酸銀を担持させて構成されている。
【００１０】
すなわち、濃度１Ｗ／ｖ％の乳酸銀の水溶液に基材を浸漬させ、その後に基材を溶液から引き上げ、室温よりも若干高い温度、例えば40℃程度で自然乾燥させる。
【００１１】
そして両端に通気口２、３を有する内径１１.５ｍｍの筒状容器４に通気性を備えた粒子抜け止め板５，５を介して層厚１０ｍｍとなるように上記吸収剤１を充填してフィルタを制作し、濃度５０ｐｐｍの硫化水素を含む空気を５００ｃｃ／分でこのフィルタ材に供給したところ吸収剤が担持している薬剤の量に比例して図２に示したように破過時間が長くなった
【００１２】
このフィルタ材は吸収剤に担持されている乳酸銀が硫化水素と
２Ｃ3Ｈ5ＡｇＯ3 ＋ Ｈ2Ｓ →Ａｇ2Ｓ＋２Ｃ3Ｈ6Ｏ3
なる反応により酸性ガスを発生することなく、また被検出物である可燃性ガスと反応、吸着することなく硫化水素を捕捉する。
【００１３】
図３は、メタン（５０％LEL）と硫化水素（１０ｐｐｍ）との混合ガスを一定期間連続して本願発明のフィルタ材を使用して測定した場合（■）とフィルタ材を使用しないで測定した場合（◆）との検出結果を示すもので、フィルタ材を使用しない場合には検出値が急速に低下しているが、本発明のフィルタ材を使用した場合には１８時間を経過しても検出値の低下は見られなかった。
【００１４】
なお、上述の実施例においては粒径の基材としてアルミナ粒子を使用したが、同程度の粒径のシリカゲル等のシリカ粒子を用いても同様の効果を奏する。
すなわち、シリカ粒子は多孔質体であるため単体では被験ガスを吸着するが、本発明においては乳酸銀により被覆されるため多孔質体としての機能が喪失し、被検出物である可燃性ガスは吸着を受けることなくフィルタを通過する。
【図１】
2014228501.tif 000002
【図２】
2014228501.tif 000003
【図３】
2014228501.tif 000004
【手続補正書】
【提出日】平成25年6月3日(2013.6.3)
【手続補正１】
【補正対象書類名】明細書
【補正対象項目名】０００３
【補正方法】変更
【補正の内容】
【０００３】
このフィルタは、ガス流入口側に硝酸銀を担持させたシリカ粒子を、また下流側に酸化マグネシウムを担持させたシリカ粒子を筒状容器に充填して構成されている。
【手続補正２】
【補正対象書類名】図面
【補正対象項目名】図２
【補正方法】変更
【補正の内容】
【図２】
2014228501.tif 000005
(57)【要約】      （修正有）【課題】大量に発生した汚染土、汚染水の最終処理方法を提案する。【解決手段】コンクリートブロック製の容器に汚染物を詰め、巨大防波堤の内部に埋め込む。【選択図】図１
2014228532.tif 000002
【特許請求の範囲】
【請求項１】
福島第一原子力発電の爆発事故によって飛散した放射物質（セシューム１３７）によって汚染された汚染土や、炉心冷却用に使用した高濃度の放射線を含む汚染水の処理に於いて、コンクリートブロックを量産し、この中に放射線汚染土や汚染物を入れ、コンクリート蓋で密閉し、これを、これから必ず作る巨大防波堤の中に埋めて放射線を永久に閉じこめる事を特徴とする、放射線汚染物の最終処理装置。
【請求項２】
放射線汚染物を入れるコンクリートブロックは、莫大な量を作る必要があり、型枠や流れ作業に適した構造とした（請求項１）記載の放射線汚染物の最終理装置。
【請求項３】
放射線汚染物を入れる工程は、ロボットが作業出来るようにした事を特徴とした（請求項１）記載の最終装置。
【請求項４】
放射線汚染土を蒸気により除染した水分を凝固剤により濃縮し、コンクリートの反応材として固化しコンクリートブロックに封じ込めて最終処理とした（請求項１）記載の放射線汚染物の最終処理装置。
【請求項５】
炉心冷却に使用した高濃度の放射線汚染水を巨大なタンクに入れてあるのを電気分解に寄って濃縮するか、除洗剤（ブルシアンブルー）を加えて遠心分離器に掛け、濃縮し、最終的にコンクリートブロックに封じ込める事を特徴とした（請求項１）記載の放射線汚染物の最終処理装置。
【発明の詳細な説明】
【技術分野】
【０００１】本発明は、福島原子力発電所の東日本大震災により発生した事故のために放出した放射線による汚染土や炉心の冷却に使用した高濃度の汚染水の除染によって発生した汚染物（フィルターなど）の最終処理技術に関する。
【背景技術】
【０００２】３．１１の東日本大震災により発生した福島原子力発電の事故後の汚染土、汚染水の最終処理が決まらず、中間処理場が満杯になり、その処分について世界的な注目をあびている。地中に埋める事は、地下水の問題があり、その候補地の反対に会い未だに決まらない。既に待ったなしの状況にある。
【発明の開示】
【発明が解決しようとする課題】
【０００３】原発事故によって発生した大量の汚染物質、セシューム（半減期３０年）プルトニューム（半減期２万年）これらの物質含む汚染土、炉心冷却用に使用した高濃度の汚染水が、中間処理場で満杯状態になっている。これらを如何にして最終処分するかが最大緊急の課題である。
【課題を解決するための手段】
【０００４】図で示すようなコンクリートの箱を大量生産し、これに汚染土や汚染物を入れ、コンクリートの蓋で閉じ込める。これをこれから被災地の各所に作られる巨大な防波堤の中に閉じ込めてしまう。既に工事が始まっている所もあるようだが、計画が決まったところから投入する。これが最良の解決手段である。  そうすれば、汚染土物の最終処理と防波堤のあんこが出来て一挙両得である。
【発明の効果】
【０００５】コンクリートは、１５ｃｍで約９０％の放射線を減衰させる。その上、堤防の中に埋めコンクリート詰めをしてしまえば、堤防が壊れない限り安全である。では、堤防が崩れない保証があるのか？  既に設計施工されているように、山型にし、寄せる波、返す波にも強くする事である。
１万年後にも平成の時代に大地震があり、立派な堤防を作ってくれたお陰で今があると言われたい。その中に放射線の廃棄物が有る事を知っているだろうか？  それが、次の大津波への予防になる。
【発明の実施例】
【０００６】以下、図面により説明する。
図１は、新しく作る防波堤の断面図で、１，は本発明の中核をなすコンクリートブロック、２，は新しく作る防波堤の一部、３，は内部に埋められた砂利でセメントを流して固める。４，は土台で、５，は１，コンクリートブロックを埋めるコンクリート、６，はその上を２，と同じようにコンクリートで仕上げる。７，は地面である。
図２は、コンクリートブロックを形成する基本となる箱で、図３は、その箱に汚染土１０，を詰め込み圧縮してその上に９，蓋をする。
図２，のように長方形のものと、この半分のものと作り、防波堤の中に入れる時は、互い違いに成るよう積み上げる。
【０００７】図４〜図９は、量産時の行程の一例を示す。
図４は、１１，外枠を丈夫に組む。図５は、流れ作業にするために、１２，台車の上で作業する。１１，外枠を組んだら、先ず底部に必要な暑さにコンクリート１３，を流す。
その上に１４，内枠を組む。図７は、１１，外枠と１４，内枠の間にコンクリートを流す。図８は、１６，汚染物を閉じこめその上を１７，コンクリートで蓋をする。図９は、１８，完成品である。
ブロック一つの重量は、運搬の都合上、数トン以内がよい。
【０００８】他に高濃度の汚染土を高熱蒸気で除染した土や、除染に使用した汚染水を固形化して本発明のコンクリートブロックに詰め込み、又、原子力発電事故の冷却に使用した高濃度の汚染水を除染するために使用したフィルターなどの汚染物を、本発明のコンクリートブロックに詰め込み、最終的には、現在計画中の巨大防波堤の中に閉じこめてしまう。
防波堤の構造は、３，１１の教訓から、山型がよい。
【図面の簡単な説明】
【０００９】
【図１】本発明の主要部を表す断面図
【図２】一つの単位となるコンクリートブロック斜視図
【図３】完成したコンクリートブロックの断面図
【図４】量産時の工程をしました一例を示す図
【図５】量産時の工程をしました一例を示す図
【図６】量産時の工程をしました一例を示す図
【図７】量産時の工程をしました一例を示す図
【図８】量産時の工程をしました一例を示す図
【図９】量産時の工程をしました一例を示す図
【符号の説明】  １，コンクリートブロック
２，防波堤の外壁
３，防波堤の基礎部
４，基礎
５，生コン
６，防波堤の最終外壁
７，地面
９，蓋
１０，汚染物
１１，外枠
１２，台車
１４，内枠
１８，コンクリートブロック完成品
【図１】
2014228532.tif 000003
【図２】
2014228532.tif 000004
【図３】
2014228532.tif 000005
【図４】
2014228532.tif 000006
【図５】
2014228532.tif 000007
【図６】
2014228532.tif 000008
【図７】
2014228532.tif 000009
【図８】
2014228532.tif 000010
【図９】
2014228532.tif 000011
(57)【要約】【課題】  写真撮影において黒板及びホワイトボードを水平に保つための水準器つき黒板及びホワイトボードを提供する。【解決手段】  黒板及びホワイトボード（１）の一端に水準器（２）を設けた水準器つき黒板及びホワイトボードを特徴とする。【選択図】図１
2014080003.tif 000002
【特許請求の範囲】
【請求項１】
撮影用黒板及びホワイトボード（１）に水準器（２）を設けた水準器つき撮影用黒板及びホワイトボード
【発明の詳細な説明】
【技術分野】
【０００１】  この発明は、撮影用黒板及びホワイトボードに水準器を設けた水準器付撮影用黒板及びホワイトボードに関するものである。
【背景技術】
【０００２】  従来、撮影用黒板及びホワイトボードを持って撮影する場合、地面との傾きを持ち手側で補正することは容易でなかった。
【発明の概要】
【発明が解決しようとする課題】
【０００３】  これは、次のような欠点があった。
従来、撮影用黒板及びホワイトボードで地面との傾きを補正して撮影する場合は撮影用黒板及びホワイトボードの持ち手側ではなく撮影者側の指示に従うことが多く黒板及びホワイトボードの持ち手側だけで傾きを正確に修正するのは容易でなかった。本発明は以上のような欠点をなくすためになされたものである。
【課題を解決するための手段】
【０００４】  撮影用黒板及びホワイトボード（１）に水準器（２）を設けた水準器付撮影用黒板及びホワイトボードである。
【発明の効果】
【０００５】  撮影用黒板及びホワイトボードに水準器が一体になっているので撮影者側から黒板及びホワイトボードの傾きの補正を受けなくすむようにした。黒板及びホワイトボードの持ち手側だけで短時間で水平を保つことで文字を読みやすく見栄えのいい写真が撮影出来るようにした。また一人で黒板及びホワイトボードを水平に保つことが出来ることでセルフタイマーでの撮影をも容易にした。
【図面の簡単な説明】
【０００６】
【図１】  本発明の斜視図である。
【図２】  本発明の断面図である。
【発明を実施するための最良の形態】
【０００７】  以下、本発明を実施するための形態について説明する。
黒板およびホワイトボード（１）の上部の一端に、水準器（２）を設ける。
本発明は以上の構造である。
これを使用する時は、黒板及びホワイトボードを手で持ちながら水準器の気泡が真ん中に来るよう固定してから写真の撮影をすればよい。
【符号の説明】
【０００８】１  黒板及びホワイトボード
２  水準器
【図１】
2014080003.tif 000003
【図２】
2014080003.tif 000004
(57)【要約】【課題】折りたたみ式譜面台を使用する際に使いやすいように脱着が容易にできる台紙ファイルを提供する。【解決手段】台紙ファイルに上部差込穴１と下部折り返し部に差込穴２を設けたファイル台紙を特徴とする。【選択図】図１
2014080002.tif 000002
【特許請求の範囲】
【請求項１】
本発明は差込穴を上下に設けたファイル台紙。
【発明の詳細な説明】
【技術分野】
【０００１】この発明は折りたたみ式譜面台に安易に取り外しができる台紙に関するものである。
【背景技術】
【０００２】従来、折りたたみ式譜面台専用台紙は販売されておらず、使用者が各々に厚紙で台紙を製作したり、ファイルで代用していた。
【先行技術文献】
【特許文献】
【０００３】
【発明の概要】
【発明が解決しようとする課題】
【０００４】これには次のような問題があった。（イ）折りたたみ式譜面台には台紙がないため譜面に書き込む際、薄い用紙には書き込み      が大変しづらい。（ロ）イの欠点を補うため、厚紙やファイルを台紙として使用するが、譜面台に取り付け      るのではなく置くだけのため、少しの接触で譜面が床に落ちてしまう。（ハ）ロの欠点を補うため、テープやクリップで台紙や楽譜を譜面台に固定するが、テー      プやクリップを常時携帯しなければならず、面倒である。  本発明は、以上のような問題を解決するためになされたものである。
【課題を解決するための手段】
【０００５】上記課題を解決するための本発明は、折りたたみ式譜面台の構造である突起部分に台紙ファイルを差し込めるよう台紙ファイル上部１と、下部折り返し部２に差込穴を設ける。
【発明の効果】
【０００６】折りたたみ式譜面台に台紙が取り付けられるため（イ）譜面への書き込みが容易になり、折りたたみ式譜面台と台紙が一体となるため（ロ）少々の接触では譜面が床に落ちず、差込式の台紙であるため（ハ）容易に脱着が可能である。また、ファイル様式使用にし、折りたたみ式譜面台から外した場合には譜面をそのままに持ち運ぶことができる。そしてコンサートなどで使用する場合ファイルの色で雰囲気を演出し、見栄えを良くすることが可能である。
【図面の簡単な説明】
【０００７】
【図１】本発明の正面図である。
【発明を実施するための形態】
【０００８】以下、本発明を実施するための形態について説明する。台紙ファイルの上部に差込穴１を設ける。台紙ファイルの下部折り返し部２に差込穴を設ける。  本発明は以上のような構造である。
【符号の説明】
【０００９】１    台紙ファイル上部差込穴２    台紙ファイル下部折り返し部差込穴
【図１】
2014080002.tif 000003
(57)【要約】【課題】書店で本を手に取って表紙を開いた際に、その本の表紙を覆うカバーの下方に巻かれている帯が外れたり、上下にずれてしまうことがあった。本発明は、本の帯が外れることを防止する、本の帯の外れ防止具を提供する。【解決手段】先端部を切り取った円錐状の袋の片側の長辺にのりしろを設け、その裏側に固着・剥離が繰り返し実施可能な接着剤を塗布する。【選択図】図１
2014080004.tif 000002
【特許請求の範囲】
【請求項１】
先端部を切り取った円錐状の袋（１）の片側の長辺にのりしろ（２）を設け、その裏側に固着・剥離が繰り返し実施可能な接着剤（３）を塗布した本の帯の外れ防止具。
【発明の詳細な説明】
【技術分野】
【０００１】  本発明は、本の表紙を覆うカバーの下方に巻かれている帯が外れることを防止する、本の帯の外れ防止具に関するものである。
【背景技術】
【０００２】  書店に陳列されている新刊本などの表紙を覆うカバーの下方には、その本の短評やキャッチコピーなどを印刷した帯（帯紙ともいう）と呼ばれる細長い紙が巻かれている。従来、ユーザーが本を手に取って表紙を開いた際に、この帯の端部がカバーから外れたり、帯全体が上下にずれてしまうことがあった。このままの状態で陳列しておくと、帯が折れたり曲がるなどの破損を招くだけでなく、本そのものの価値が低下し、売り物にならなくなるという問題が起きていた。
このことを防止する先行技術として、帯を廃止し、カバー自体に帯としての機能を持たせる（例えば、特許文献１参照）という出願例がある。
【先行技術文献】
【特許文献】
【０００３】
【特許文献１】特許公開２００６−０２６９７８号
【発明の概要】
【発明が解決しようとする課題】
【０００４】  以上に述べた、本の表紙を覆うカバーの下方に巻かれている帯が外れることの防止を図るにあたり、次のような方法が課題となる。
（イ）、本の表紙を覆うカバーの下方に巻かれている従来の帯の形態を変更することなく、帯の外れを防止する方法。
（ロ）、簡単に装着でき、かつ取り外すことができる方法。
本発明は、これらの課題を解決するためになされたものである。
【課題を解決するための手段】
【０００５】  先端部を切り取った円錐状の袋（１）の片側の長辺にのりしろ（２）を設け、その裏側に固着・剥離が繰り返し実施可能な接着剤（３）を塗布する。
以上の構成によりなる本の帯の外れ防止具。
【発明の効果】
【０００６】  本発明を使用するには、本の表紙を３０度程度開き、帯が巻かれている下側の角から本発明を差し込み、本発明ののりしろを指先等で押さえることによって、本発明と帯とを装着する。これにより、帯が巻かれている下側の角を本発明が挟み込む形となり、かつ、接着剤によって本発明と帯とが接着されるため、ユーザーが本を手に取って表紙を開いた際に、帯が外れたり、帯全体が上下にずれることを防ぐことができる。なお、のりしろには固着・剥離が繰り返し実施可能な接着剤が塗布されているため、本発明の使用を中止する時は、これを剥がすことで簡単に取り外すことができる。
【図面の簡単な説明】
【０００７】
【図１】本発明の全体を示した斜視図である。
【図２】本発明を装着した状態を、本の表紙を３０度程度開いて示した斜視図である。
【図３】本発明を装着した状態を、本の表紙を閉じて示した斜視図である。
【図４】本発明を装着した状態を、本の表紙を１８０度開いて示した斜視図である。
【発明を実施するための形態】
【０００８】  以下、本発明の実施の形態を図１〜図４に基づいて説明する。
【０００９】  図１においては、先端部を切り取った円錐状の袋（１）の片側の長辺にのりしろ（２）を設け、その裏側に固着・剥離が繰り返し実施可能な接着剤（３）を塗布する。
【００１０】  図２においては、本（４）の表紙（５）を３０度程度開き、表紙（５）を覆うカバー（６）の下方に巻かれている帯（７）の角（８）から、先端部を切り取った円錐状の袋（１）を差し込み、のりしろ（２）の裏側に塗布された固着・剥離が繰り返し実施可能な接着剤（３）によって帯（７）と接着する。
【００１１】  図３においては、本（４）の表紙（５）を覆うカバー（６）の下方に巻かれている帯（７）に、先端部を切り取った円錐状の袋（１）を装着する。
【００１２】  図４においては、本（４）の表紙（５）を１８０度開き、表紙（５）を覆うカバー（６）の下方に巻かれている帯（７）に、先端部を切り取った円錐状の袋（１）を装着する。
【産業上の利用可能性】
【符号の説明】
【００１３】  １  袋
２  のりしろ
３  接着剤
４  本
５  表紙
６  カバー
７  帯
８  角
【図１】
2014080004.tif 000003
【図２】
2014080004.tif 000004
【図３】
2014080004.tif 000005
【図４】
2014080004.tif 000006